(57)【要約】【課題】電気機器において、実質的にフロントキーの数を増やし、しかも、パソコンのキーボードに準じた感覚で容易に操作を行うことを可能にする。【解決手段】フロントパネルに設けられた複数のフロントキーには、シフトキー４ｄが含まれ、いずれかのフロントキー４ａ、４ｂが押下されたときに、押下されたフロントキーの種類に応じてＡ／Ｄコンバータ２３から出力されるディジタル形式の電圧値と、メモリ２４に記憶されたシフトフラグ２６の値とに基づいて、押下されたフロントキーの種類を判定するようにした。これにより、押下されたフロントキーが同じで場合でも、マイコン２０（のＣＰＵ２１）は、シフトキー４ｄが押下中であるか否かに応じて、押下されたフロントキーが別の種類のフロントキーであると判定することができる。従って、実質的にフロントキーの数を増やすことができる。【選択図】図２
2011113352.tif 000002
【特許請求の範囲】
【請求項１】
装置本体のフロントパネルに設けられた複数のフロントキーと、
前記複数のフロントキーのうち、いずれかのフロントキーが押下されると、押下されたフロントキーの種類に応じて異なる値のアナログ電圧を出力する電圧出力回路と、
前記電圧出力回路から出力されたアナログ電圧の値に応じて、押下されたフロントキーの種類を判定する判定手段とを備え、
前記電圧出力回路は、電源電圧を分圧するための複数の抵抗と、前記複数のフロントキーの各々の押下に連動してオンになる複数のスイッチとを有し、前記複数のスイッチは、電源とグラウンドとの間に接続される前記抵抗の組み合わせを切り換えることにより、出力するアナログ電圧を切り換えるためのスイッチであり、
前記判定手段は、前記電圧出力回路から出力されたアナログ電圧をディジタル形式の電圧値に変換するＡ／Ｄ（Analog-Digital）変換器を有し、前記Ａ／Ｄ変換器から出力されたディジタル形式の電圧値に基づいて、押下されたフロントキーの種類を判定する電気機器において、
前記複数のフロントキーには、シフトキーが含まれ、
前記判定手段は、
前記シフトキーが押下中であるか否かの情報を記憶するためのシフトキー押下情報記憶手段をさらに備え、
前記Ａ／Ｄ変換器から出力されたディジタル形式の電圧値に基づいて、前記シフトキーが押下されたと判定すると、前記シフトキー押下情報記憶手段に前記シフトキーが押下中であるという情報を記憶し、前記Ａ／Ｄ変換器から出力されたディジタル形式の電圧値に基づいて、前記シフトキーの押下が解除されたと判定すると、前記シフトキー押下情報記憶手段に前記シフトキーが押下中でないという情報を記憶し、
前記複数のフロントキーのうち、いずれかのフロントキーが押下されたときに、前記Ａ／Ｄ変換器から出力されたディジタル形式の電圧値と、前記シフトキー押下情報記憶手段に記憶された、前記シフトキーが押下中であるか否かの情報とに基づいて、押下されたフロントキーの種類を判定することを特徴とする電気機器。
【請求項２】
前記判定手段は、前記シフトキー押下情報記憶手段に前記シフトキーが押下中であるという情報を記憶しているときに、前記Ａ／Ｄ変換器から出力されたディジタル形式の電圧値に基づいて、いずれのフロントキーも押下されていないと判定すると、前記シフトキーの押下が解除されたと判定することを特徴とする請求項１に記載の電気機器。
【請求項３】
前記フロントパネルにおける各フロントキーの周辺に、前記シフトキーを押した状態で前記各フロントキーを押下した場合における操作が記載されていることを特徴とする請求項１又は請求項２に記載の電気機器。
【発明の詳細な説明】
【技術分野】
【０００１】
本発明は、装置本体のフロントパネルに複数のフロントキーを有する電気機器に係り、特に、押下されたフロントキーの種類を判定する技術に関する。
【背景技術】
【０００２】
従来から、テレビジョン受像機やＤＶＤプレーヤ等の電気機器では、フロントパネルに設けられた各フロントキーが押下されたときに、マイコンが、押下されたフロントキーの種類を判定する処理を行っている。そして、各フロントキーに対応するスイッチ（各フロントキーの押下に連動してオンとなるスイッチ）とマイコンとの接続には、これらのスイッチとマイコンとの接続用のラインの数や、これらのラインが接続されるマイコン側の入出力ポートの数を減らすため、リモコン等に用いられているキーマトリクス方式を用いず、各フロントキーに対応するスイッチをマイコン側のＡ／Ｄ（Analog-Digital）ポートに接続することが多い。ここで、Ａ／Ｄポートとは、マイコン内蔵のＡ／Ｄ（Analog-Digital）コンバータに接続されたマイコン側の入力ポートのことを指す。
【０００３】
次に、図５を参照して、従来の電気機器において、押下されたフロントキーの種類を判定する仕組みについて説明する。図に示される電圧出力回路１１１は、押下されたフロントキーの種類に応じて異なる値のアナログ電圧を出力する回路である。この電圧出力回路１１１は、電源電圧Ｖｃｃを分圧するための複数の抵抗１１２、１１３、１１４と、各フロントキー１０４ａ、１０４ｂ、１０４ｃの押下に連動してオンになるスイッチＳＷ１０１、ＳＷ１０２、ＳＷ１０３とを有している。これらのスイッチは、電源とグラウンドとの間に接続される抵抗１１２、１１３、１１４の組み合わせを切り換えることにより、（ラインＬ１００から）出力するアナログ電圧を切り換えるためのスイッチである。
【０００４】
上記の構成において、いずれのフロントキーも押下されていないときには、電源とグラウンドとの間が接続されないので、電流が流れない。このため、電圧出力回路１１１は、電源電圧Ｖｃｃ（３．３Ｖ）をそのままマイコン１２０側のＡ／Ｄポート１２２に出力する。これに対して、フロントキー１０４ａが、ユーザにより押下されたときには、電圧出力回路１１１は、スイッチＳＷ１０１がＯＮになるので、グラウンドの電位である０Ｖをマイコン１２０側のＡ／Ｄポート１２２に出力する。また、フロントキー１０４ｂが、ユーザにより押下されたときには、スイッチＳＷ１０２がＯＮになるので、電圧出力回路１１１は、電源電圧Ｖｃｃ（３．３Ｖ）を２つの抵抗１１２、１１３で分圧した１．６５Ｖ（３．３Ｖ×｛１０ｋΩ／（１０ｋΩ＋１０ｋΩ）｝）をマイコン１２０側のＡ／Ｄポート１２２に出力する。また、フロントキー１０４ｃが、ユーザにより押下されたときには、スイッチＳＷ１０３がＯＮになるので、電圧出力回路１１１は、電源電圧Ｖｃｃ（３．３Ｖ）を分圧した２．２Ｖ（３．３Ｖ×｛（１０ｋΩ＋１０ｋΩ）／（１０ｋΩ＋１０ｋΩ＋１０ｋΩ）｝）をマイコン１２０側のＡ／Ｄポート１２２に出力する。
【０００５】
図５に示されるマイコン１２０は、電圧出力回路１１１から出力されたアナログ電圧をディジタル形式の電圧値に変換するＡ／Ｄコンバータ１２３を有しており、マイコン１２０（のＣＰＵ１２１）は、Ａ／Ｄコンバータ１２３から出力されたディジタル形式の電圧値に基づいて、押下されたフロントキーの種類を判定する。
【０００６】
しかしながら、近年、電気機器の操作には、リモートコントローラ（以下、リモコンと略す）が用いられることが多いため、電気機器のフロントパネルに設けられるフロントキーの必要性が減ってきている。このため、電気機器のフロントパネルに設けられるフロントキーの数は、コストダウンの観点から少なくなる傾向にある。とは言え、操作に必要な数のフロントキーを確保できないと、ユーザが不便である。従って、電気機器のフロントパネルにパソコンのキーボードにおけるシフトキーの機能を有するキーを設けて、実質的にフロントキーの数を増やすことができれば便利である。
【０００７】
ところで、電気機器の分野において、複数の直列接続された抵抗と、これらの抵抗に並列に接続された（キー操作により短絡される）スイッチとを設けて、これらのスイッチの組み合わせ短絡による入力電圧をテーブルの値と比較することにより、多重で操作されたキーを判別し、この判別結果に基づき、多種の異なる動作指令をすることができるようにした操作装置が知られている（特許文献１参照）。
【０００８】
また、この種の分野において、スイッチ（キー）の多重押下を検出して、スイッチが単独押下された場合と多重押下された場合とでは、異なった動作をさせるようにした検出装置が知られている（特許文献２参照）。
【０００９】
しかしながら、上記特許文献１及び２に記載の装置では、ユーザが、押下するキーの組み合わせに応じて装置が行う動作（操作）を記憶しておく必要があり、ユーザが操作しにくいという問題があった。これに対して、上記のように電気機器のフロントパネルにキーボードにおけるシフトキーの機能を有するキーを設けた場合には、フロントパネルにおける各フロントキーの周辺に、シフトキーを押した状態で各フロントキーを押下した場合における操作（図１の場合は、「操作Ａ」、「操作Ｃ」、「操作Ｅ」）を記載しておくことにより、ユーザが、この記載を参照しながらシフトキーを用いたフロントキーの操作を行うことで、パソコンのキーボードに準じた感覚で容易に電気機器の操作を行うことができる。
【００１０】
また、電気機器の入力キー判定用回路の分野において、電源とグラウンドとの間に、特定の値を持つ複数の抵抗を直列に配置して、これらの抵抗列の適切な位置からＣＰＵポートへの出力電圧を取り出すことにより、スキャンノイズを排除すると共に、ＣＰＵポート数を減らすことができるようにした出力回路が知られている（特許文献３参照）。また、この種の入力キー判定用回路を備えたボタン押下検出装置において、簡単な構成によりボタンの多重押下を防止すると共に、ボタンの押下がオーバーラップしても、それぞれのボタンの押下を検出することが可能なものが知られている（特許文献４参照）。さらにまた、この種の入力キー判定用回路を備えた電子機器の分野において、部材の数を抑え、スイッチの片側を接地可能とし、かつ認識するキーの組み合わせに比して分解能が低いＡ／Ｄコンバータを用いることができるものが知られている（特許文献５参照）。
【００１１】
しかしながら、上記特許文献３乃至５に記載の装置では、上記のように電気機器のフロントパネルにシフトキーの機能を有するキーを設けた場合と異なり、実質的にフロントキーの数を増やすことができない。
【先行技術文献】
【特許文献】
【００１２】
【特許文献１】特開平９−２７０６８５号公報
【特許文献２】特開平７−３０２１５０号公報
【特許文献３】特開平５−３１３８０３号公報
【特許文献４】特開２００５−１４９２２３号公報
【特許文献５】特開２００９−３２２０１号公報
【発明の概要】
【発明が解決しようとする課題】
【００１３】
本発明は、上記課題を解決するものであり、実質的にフロントキーの数を増やすことができ、しかも、パソコンのキーボードに準じた感覚で容易に操作を行うことが可能な電気機器を提供することを目的とする。
【課題を解決するための手段】
【００１４】
上記課題を解決するために、請求項１の発明は、装置本体のフロントパネルに設けられた複数のフロントキーと、前記複数のフロントキーのうち、いずれかのフロントキーが押下されると、押下されたフロントキーの種類に応じて異なる値のアナログ電圧を出力する電圧出力回路と、前記電圧出力回路から出力されたアナログ電圧の値に応じて、押下されたフロントキーの種類を判定する判定手段とを備え、前記電圧出力回路は、電源電圧を分圧するための複数の抵抗と、前記複数のフロントキーの各々の押下に連動してオンになる複数のスイッチとを有し、前記複数のスイッチは、電源とグラウンドとの間に接続される前記抵抗の組み合わせを切り換えることにより、出力するアナログ電圧を切り換えるためのスイッチであり、前記判定手段は、前記電圧出力回路から出力されたアナログ電圧をディジタル形式の電圧値に変換するＡ／Ｄ（Analog-Digital）変換器を有し、前記Ａ／Ｄ変換器から出力されたディジタル形式の電圧値に基づいて、押下されたフロントキーの種類を判定する電気機器において、前記複数のフロントキーには、シフトキーが含まれ、前記判定手段は、前記シフトキーが押下中であるか否かの情報を記憶するためのシフトキー押下情報記憶手段をさらに備え、前記Ａ／Ｄ変換器から出力されたディジタル形式の電圧値に基づいて、前記シフトキーが押下されたと判定すると、前記シフトキー押下情報記憶手段に前記シフトキーが押下中であるという情報を記憶し、前記Ａ／Ｄ変換器から出力されたディジタル形式の電圧値に基づいて、前記シフトキーの押下が解除されたと判定すると、前記シフトキー押下情報記憶手段に前記シフトキーが押下中でないという情報を記憶し、前記複数のフロントキーのうち、いずれかのフロントキーが押下されたときに、前記Ａ／Ｄ変換器から出力されたディジタル形式の電圧値と、前記シフトキー押下情報記憶手段に記憶された、前記シフトキーが押下中であるか否かの情報とに基づいて、押下されたフロントキーの種類を判定するものである。
【００１５】
請求項２の発明は、請求項１に記載の電気機器において、前記判定手段は、前記シフトキー押下情報記憶手段に前記シフトキーが押下中であるという情報を記憶しているときに、前記Ａ／Ｄ変換器から出力されたディジタル形式の電圧値に基づいて、いずれのフロントキーも押下されていないと判定すると、前記シフトキーの押下が解除されたと判定するものである。
【００１６】
請求項３の発明は、請求項１又は請求項２に記載の電気機器において、前記フロントパネルにおける各フロントキーの周辺に、前記シフトキーを押した状態で前記各フロントキーを押下した場合における操作が記載されているものである。
【発明の効果】
【００１７】
請求項１の発明によれば、フロントパネルに設けられた複数のフロントキーには、シフトキーが含まれ、いずれかのフロントキーが押下されたときに、押下されたフロントキーの種類に応じてＡ／Ｄ変換器から出力されるディジタル形式の電圧値と、上記シフトキーが押下中であるか否かの情報とに基づいて、押下されたフロントキーの種類を判定するようにした。これにより、押下されたフロントキーが同じで、Ａ／Ｄ変換器から出力されるディジタル形式の電圧値が同じ場合でも、判定手段は、シフトキーが押下中であるか否かに応じて、押下されたフロントキーが別の種類のフロントキーであると判定することができる（シフトキーが押下中である場合と、シフトキーの押下が解除されている場合とで、押下されたフロントキーが別の種類のフロントキーであると判定することができる）。従って、実質的にフロントキーの数を増やすことができるので、実際のフロントキーの数を減らして、コストダウンを図ることができる。また、ユーザが、パソコンのキーボードに準じた感覚で容易にフロントキーの操作を行うことができる。
【００１８】
また、請求項２の発明によれば、シフトキー押下情報記憶手段にシフトキーが押下中であるという情報を記憶しているときに（シフトキーの押下中に）、Ａ／Ｄ変換器から出力されたディジタル形式の電圧値に基づいて、いずれのフロントキーも押下されていないと判定したときに、シフトキーの押下が解除されたと判定するようにした。これにより、シフトキーの押下が解除されたことを的確に判定することができ、しかも、ユーザが、パソコンのキーボードに準じた感覚で容易にシフトキーの押下を解除することができる。
【００１９】
また、請求項３の発明によれば、フロントパネルにおける各フロントキーの周辺に、シフトキーを押した状態で各フロントキーを押下した場合における操作を記載したことにより、ユーザが、パソコンのキーボードに準じた感覚で容易に、シフトキーを用いたフロントキーの操作を行うことができる。
【図面の簡単な説明】
【００２０】
【図１】本発明の一実施形態に係るテレビジョン受像機の前面図。
【図２】シフトキーを押下していない時の同テレビジョン受像機のフロントキー判定用回路の説明図。
【図３】シフトキーを押下した時の同テレビジョン受像機のフロントキー判定用回路の説明図。
【図４】同テレビジョン受像機の変形例のフロントキー判定用回路の構成図。
【図５】従来例のテレビジョン受像機のフロントキー判定用回路の構成図。
【発明を実施するための形態】
【００２１】
以下、本発明の一実施形態について、図面を参照して説明する。図１は、本実施形態による電気機器であるテレビジョン受像機（以下、ＴＶ受像機という）を示す。このＴＶ受像機１は、受信したテレビジョン放送を表示するための表示パネル２と、装置本体の前面に設けられたフロントパネル３とを備えている。このフロントパネル３は、装置本体に各種の操作入力を行うための複数のフロントキー４（図中における４ａ〜４ｉのキーの総称）を有している。このフロントキー４には、通常のフロントキー４ａ〜４ｃ、チャンネル・アップキー４ｅ、チャンネル・ダウンキー４ｆ、音量アップキー４ｇ、音量ダウンキー４ｈ、電源キー４ｉに加えて、パソコンのキーボードにおけるシフトキーと同様な機能を有するシフトキー4ｄが配設されている。また、フロントパネル３におけるフロントキー４ａ〜４ｃの上部には、キーボードと同様な記載方法で上下二段に分けて、シフトキー４ｄを押した状態でフロントキー４ａ〜４ｃを押下した場合における操作（フロントキー４ａの場合は「操作Ａ」）と、シフトキー４ｄを押していない状態でフロントキー４ａ〜４ｃを押下した場合における操作（フロントキー４ａの場合は「操作Ｂ」）とが記載されている。
【００２２】
次に、図２及び図３を参照して、上記ＴＶ受像機１において押下されたフロントキー４の判定に用いられる回路の構成について説明する。図２と図３とは、それぞれ、シフトキー４ｄを押下していない時と押下した時とにおける上記回路の状態を示す。なお、これらの図には、図１中の複数のフロントキー４（４ａ〜４ｉ）のうち、３つのフロントキー（フロントキー４ａ、４ｂ、及びシフトキー４ｄ）が、マイコン２０側の１つのＡ／Ｄ（analog-digital）ポート２２に接続される場合の回路構成が示されている。図に示される電圧出力回路１１は、押下されたフロントキー４の種類に応じて異なる値のアナログ電圧を出力する回路である。この電圧出力回路１１は、電源電圧Ｖｃｃを分圧するための複数の抵抗１２、１３、１４と、各フロントキー４（フロントキー４ａ、４ｂ、及びシフトキー４ｄ）の押下に連動してオンになるスイッチＳＷ１、ＳＷ２、ＳＷ３とを有している。これらのスイッチＳＷ１、ＳＷ２、ＳＷ３は、電源（不図示）とグラウンド１５ａ、１５ｂ、１５ｄとの間に接続される抵抗１２、１３、１４の組み合わせを切り換えることにより、ラインＬ０から出力するアナログ電圧（Ｐ点における電位）を切り換えるためのスイッチである。
【００２３】
上記の構成において、いずれのフロントキー４（フロントキー４ａ、４ｂ、及びシフトキー４ｄ）も押下されていないときには、電源とグラウンド１５ａ、１５ｂ、１５ｄとの間が接続されないので、Ｐ点に電流が流れない。このため、電圧出力回路１１は、電源電圧Ｖｃｃ（３．３Ｖ）をそのままマイコン２０側のＡ／Ｄポート２２（マイコン２０内蔵のＡ／Ｄ（analog-digital）コンバータ２３に接続されたマイコン２０側の入力ポート）に出力する。これに対して、フロントキー４ａが、ユーザにより押下されたときには、スイッチＳＷ１がＯＮになるので、電圧出力回路１１は、グラウンド１５ａの電位である０Ｖをマイコン２０側のＡ／Ｄポート２２に出力する。また、フロントキー４ｂが、ユーザにより押下されたときには、スイッチＳＷ２がＯＮになるので、電圧出力回路１１は、電源電圧Ｖｃｃ（３．３Ｖ）を２つの抵抗１２、１３で分圧した１．６５Ｖ（３．３Ｖ×｛１０ｋΩ／（１０ｋΩ＋１０ｋΩ）｝）をマイコン２０側のＡ／Ｄポート２２に出力する。また、図３に示されるように、シフトキー４ｄがユーザにより押下されたときには、スイッチＳＷ３がＯＮになるので、電圧出力回路１１は、電源電圧Ｖｃｃ（３．３Ｖ）を分圧した２．２Ｖ（３．３Ｖ×｛（１０ｋΩ＋１０ｋΩ）／（１０ｋΩ＋１０ｋΩ＋１０ｋΩ）｝）をマイコン２０側のＡ／Ｄポート２２に出力する。
【００２４】
一方、マイコン２０（請求項における判定手段）は、図２に示されるように、押下されたフロントキー４の判定処理を含む各種処理を行うためのＣＰＵ２１と、上記のＡ／Ｄポート２２と、このＡ／Ｄポート２２を介して電圧出力回路１１から入力された（電圧出力回路１１が出力した）アナログ電圧をディジタル形式の電圧値に変換するＡ／Ｄコンバータ２３（請求項におけるＡ／Ｄ変換器）とを有している。また、マイコン２０は、上記のＣＰＵ２１を動作させるための制御プログラム２５や、シフトキー４ｄが押下中であるか否かの情報を表すシフトフラグ２６等のデータを記憶するためのメモリ２４（シフトキー押下情報記憶手段）を有している。
【００２５】
マイコン２０のＣＰＵ２１は、制御プログラム２５に記載された処理コードに基づき動作して、図３に示されるように、Ａ／Ｄコンバータ２３から出力されたディジタル形式の電圧値が２．２Ｖになると、シフトキー４ｄが押下されたと判定して、メモリ２４におけるシフトフラグ２６の値を”１”に書き換える（シフトキー４ｄが押下中であるという情報を記憶する）。これに対して、メモリ２４におけるシフトフラグ２６の値が”１”であるときに、図２に示されるように、Ａ／Ｄコンバータ２３から出力されたディジタル形式の電圧値が３．３Ｖになると、マイコン２０のＣＰＵ２１は、いずれのフロントキー４（フロントキー４ａ、４ｂ、及びシフトキー４ｄ）も押下されておらず、シフトキー４ｄの押下が解除されたと判定して、メモリ２４におけるシフトフラグ２６の値を”０”に書き換える（シフトキー４ｄが押下中でないという情報を記憶する）。
【００２６】
マイコン２０のＣＰＵ２１は、２つのフロントキー４ａ、４ｂのうち、いずれかのフロントキーが押下されたときに、その時点でＡ／Ｄコンバータ２３から出力されたディジタル形式の電圧値と、上記のメモリ２４に記憶されたシフトフラグ２６の値とに基づいて、押下されたフロントキー４の種類を判定する。これにより、押下されたフロントキー４が同じであって、その時点でＡ／Ｄコンバータ２３から出力されるディジタル形式の電圧値が同じ場合でも、シフトキー４ｄが押下中であるか否かに応じて、押下されたフロントキー４が別の種類のフロントキーであると判定することができる。従って、実質的にフロントキー４の数を増やすことができる。
【００２７】
具体的には、図２及び３に示されるように、Ａ／Ｄポート２２に接続されるフロントキー４の数が、図５に示される従来の電圧出力回路１１１と同様に３つの場合であっても、マイコン２０のＣＰＵ２１が、「フロントキー４ａのみの押下」と、「フロントキー４ｂのみの押下」と、「シフトキー４ｄとフロントキー４ａの押下」と、「シフトキー４ｄとフロントキー４ｂの押下」とを判別する。そして、マイコン２０のＣＰＵ２１は、「シフトキー４ｄとフロントキー４ａの押下」の場合には、図１中のフロントキー４ａの上部に上下二段に分けて記載されているように、「操作Ａ」を実行し、「フロントキー４ａのみの押下」の場合には、「操作Ｂ」を実行する。また、図１中のフロントキー４ｂの上部に上下二段に分けて記載されているように、「シフトキー４ｄとフロントキー４ｂの押下」の場合には、「操作Ｃ」を実行し、「フロントキー４ｂのみの押下」の場合には、「操作Ｄ」を実行する。
【００２８】
上記のように、図２及び３に示される回路構成によれば、フロントキー４の１つを、パソコンのキーボードにおけるシフトキーと同様な機能を有するシフトキー4ｄとしたことにより、図５に示される従来の回路構成１１１と同様に３つのフロントキー４（フロントキー４ａ、４ｂ、及びシフトキー４ｄ）を有する構成でありながら、４つの操作の実行を指示することができる。従って、実質的にフロントキー４の数を４つに増やすことができる。
【００２９】
また、図４に示されるように、図２及び３に示される電圧出力回路１１と比べて、Ａ／Ｄポート２２に接続されるフロントキー４の数を１つ増やして、フロントキー４の数を４つにした上で、フロントキー４の１つをシフトキー４ｄとすることにより、６つ(３×２＝６)の操作の実行を指示することができる。従って、Ａ／Ｄポート２２に接続されるフロントキー４の数が４つであっても、実質的にフロントキー４の数を６つにすることができる。このように、Ａ／Ｄポート２２に接続されるフロントキー４の数が増えるに従って、従来のようにＡ／Ｄポート２２に接続されるフロントキー４をそのまま（シフトキー4ｄを設けずに）使用した場合と比べて、フロントキー４の１つをシフトキー４ｄとすることにより得られる実質的なフロントキー４の数の増加の割合は、大きくなる。
【００３０】
上記のように、本実施形態のＴＶ受像機１によれば、フロントパネル３に設けられた複数のフロントキー４には、シフトキー４ｄが含まれ、いずれかのフロントキー４が押下されたときに、マイコン２０（のＣＰＵ２１）が、押下されたフロントキー４の種類に応じてＡ／Ｄコンバータ２３から出力されるディジタル形式の電圧値と、メモリ２４に記憶されたシフトフラグ２６の値とに基づいて、押下されたフロントキー４の種類を判定するようにした。これにより、押下されたフロントキー４が同じで、Ａ／Ｄコンバータ２３から出力されるディジタル形式の電圧値が同じ場合でも、マイコン２０（のＣＰＵ２１）は、シフトキー４ｄが押下中であるか否かに応じて、押下されたフロントキー４が別の種類のフロントキー４であると判定することができる（シフトキー４ｄが押下中である場合と、シフトキー４ｄの押下が解除されている場合とで、押下されたフロントキー４が別の種類のフロントキー４であると判定することができる）。従って、実質的にフロントキー４の数を増やすことができるので、実際のフロントキー４の数を減らして、コストダウンを図ることができる。また、ユーザが、パソコンのキーボードに準じた感覚で容易にフロントキー４の操作を行うことができる。
【００３１】
また、本ＴＶ受像機１によれば、メモリ２４に記憶されたシフトフラグ２６の値が“１”であるときに（シフトキーの押下中に）、Ａ／Ｄコンバータ２３から出力されたディジタル形式の電圧値に基づいて、いずれのフロントキー４も押下されていないと判定したときに、シフトキー４ｄの押下が解除されたと判定するようにした。これにより、シフトキー４ｄの押下が解除されたことを的確に判定することができ、しかも、ユーザが、パソコンのキーボードに準じた感覚で容易にシフトキー４ｄの押下を解除することができる。
【００３２】
また、本ＴＶ受像機１によれば、フロントパネル３におけるフロントキー４ａ、４ｂ、４ｃの周辺に、シフトキー４ｄを押した状態でフロントキー４ａ、４ｂ、４ｃを押下した場合における操作を記載したことにより、ユーザが、パソコンのキーボードに準じた感覚で容易に、シフトキー４ｄを用いたフロントキー４の操作を行うことができる。
【００３３】
なお、本発明は、上記実施形態の構成に限られず、発明の趣旨を変更しない範囲で種々の変形が可能である。例えば、上記実施形態では、本発明をＴＶ受像機に適用した場合の例を示したが、本発明の適用対象は、これに限られず、例えば、各種のレコーダやプレーヤであってもよい。また、電圧出力回路の構成も、図２乃至図４に示される構成に限られず、各フロントキーの押下に連動してオンとなり、電源とグラウンドとの間に接続される抵抗の組み合わせを切り換えることができるスイッチを備えていればよい。さらにまた、上記図２及び３では、図１中の複数のフロントキー４（４ａ〜４ｉ）のうち、フロントキー４ａ、４ｂとシフトキー４ｄとが、１つのＡ／Ｄポート２２に接続される場合の例を示したが、他のフロントキーとシフトキーとが、１つのＡ／Ｄポートに接続されてもよい。
【符号の説明】
【００３４】
１    ＴＶ受像機
３    フロントパネル
４、４ａ、４ｂ、４ｃ  フロントキー
４ｄ  シフトキー
１１  電圧出力回路
１２  抵抗
１３  抵抗
１４  抵抗
１５ａ、１５ｂ、１５ｃ、１５ｄ  グラウンド
２０  マイコン（判定手段）
２２  Ａ／Ｄポート
２３  Ａ／Ｄコンバータ（Ａ／Ｄ変換器）
２４  メモリ（シフトキー押下情報記憶手段）
２６  シフトフラグ（シフトキーが押下中であるか否かの情報）
３１  抵抗
ＳＷ１、ＳＷ２、ＳＷ３、ＳＷ４  スイッチ
【図１】
2011113352.tif 000003
【図２】
2011113352.tif 000004
【図３】
2011113352.tif 000005
【図４】
2011113352.tif 000006
【図５】
2011113352.tif 000007